(57)【特許請求の範囲】
【請求項１】
野球用グラブの指袋を構成する内皮と外皮の間であって該指袋に挿入した指の背側の位置に、該指袋の長さ方向に沿って延びる長手の合成樹脂製の補強板を設けた野球用グラブに於いて、隣接する２本の外皮に挿通孔を有する指袋に夫々挿通孔を有する補強板を設け、該補強板同士を互いに挿通孔を紐にて連結したことを特徴とする野球用グラブ。
【請求項２】
小指と薬指を挿入する各指袋の先端側に夫々挿通孔を有する補強板を設け、これらの補強板の側部の挿通孔を紐によりフレキシブルに連結したことを特徴とする請求項１に記載の野球用グラブ。
【請求項３】
中指と人差指を挿入する各指袋の先端側に夫々挿通孔を有する補強板を設け、これらの補強板の側部の挿通孔を紐によりフレキシブルに連結したことを特徴とする請求項１又は請求項２に記載の野球用グラブ。
【請求項４】
上記小指に設けられる補強板を、指の先端側の先端補強板と指の根部側の根部補強板を分離した構成とし、該根部補強板を該小指の指袋に係着し、該先端補強板を該指袋の内皮と該根部補強板との間に介入させたことを特徴とする請求項２に記載の野球用グラブ。
【請求項５】
上記先端補強板の側部の挿通孔に上記薬指の補強板の挿通孔を紐によりフレキシブルに連結したことを特徴とする請求項４に記載の野球用グラブ。
【発明の詳細な説明】
【０００１】
【発明の属する技術分野】
本発明は、野球用グラブに関する。
【０００２】
【従来の技術】
従来の野球用グラブとして、親指を挿入する指袋を内皮と外皮の二重構造に構成し、親指の背側の位置の内皮と外皮の間に該指袋の長さ方向に延びる長手の合成樹脂製等の補強板を設けたものが知られている（特許第２８６３８２４号公報）。捕球時の衝撃を緩和するために、親指の表側の内外皮の間にはフェルト芯が介在されており、このフェルト芯のほかに補強板を設けると、親指が曲がり難くなる不都合が生じるので、該補強板を長さ方向に分割した構成としてこの不都合を解消するようになっている。
【０００３】
【発明が解決しようとする課題】
捕球の操作に於いて、従来のグラブでは薬指の指袋の先端には指の力が比較的伝達されにくく、皮にヘタリが生じるようになると指先から落球するようになって好ましくない。硬く強いフェルト芯を薬指に使用すればヘタリがなくなるが、このようなフェルト芯は重く、グラブの操作性が低下してしまうので、補強板を使用することが望ましい。
しかし、グラブでの捕球は親指、薬指及び小指が連動して行われるものであるから、薬指だけを強化してもその連動性が損なわれてしまう。
【０００４】
一方、最近のプレースタイルとして、小指・薬指の力の伝達をより強化するために、小指の指袋に小指と薬指を入れ、薬指の指袋に中指を、中指の指袋には人差指を入れてプレーするスタイルが増えている。
しかし、この捕球方法では、球と手の平が正対せず、ゴロの捕球時には手首をひねって捕らざるを得ないのでプレーが円滑に行えない。
【０００５】
本発明は、軽量で捕球の操作性が良く、指の力の伝達性も良好でプレーに無理を生じない野球用グラブを提供することを目的とするものである。
【０００６】
【課題を解決するための手段】
本発明では、野球用グラブの指袋を構成する内皮と外皮の間にあって該指袋に挿入した指の背面の位置に、該指袋の長さ方向に沿って延びる長手の合成樹脂製の補強板を設けた野球用グラブにおいて、隣接する２本の指袋に夫々挿通孔を有する補強板を設け、該補強板同士を挿通孔に紐を介して互いに連結することで、上記の目的を達成するようにした。
小指と薬指を挿入する各指袋の先端側に夫々補強板を設け、これらの補強板の側部挿通孔を紐を介してフレキシブルに連結することで、両指間の連携性が良好になり指の力の伝達性も向上する。
また、中指と人差し指を挿入する各指袋の先端側に夫々補強板を設け、これらの補強板の側部挿通孔を紐によりフレキシブルに連結することでも上記目的が達成される。
【０００７】
更に該小指に設けられる補強板を、指の先端側の先端補強板と根部側の根部補強板に分離した構成とし、該根部補強板を該小指の指袋に係着し、該先端補強板を該指袋の内皮と該根部補強板との間に介入させた構成とすることにより、操作性が一層向上する。
該先端補強板の側部挿通孔に薬指の補強板挿通孔を紐によりフレキシブルに連結おくことも可能である。
該薬指の補強板の側部挿通孔に該中指の補強板の側部挿通孔を紐によりフレキシブルに連結してもよい。
【０００８】
【発明の実施の形態】
図面に基づき本発明の実施の形態を説明すると、図１に於いて、符号１は手の各指が挿入される５本の指袋２を備えた野球用グラブを示す。各指袋２は図２に示したように、内袋を形成する内皮２ａと外袋を形成する外皮２ｂの二重の皮袋で形成され、捕球時の衝撃の緩和のためにフェルト３が指４の表側すなわち手のひら側の内皮と外皮の間に介在される。また、該内皮２ａと外皮２ｂの間であって指４の背側の位置に、該指袋２の長さ方向に沿って延びる長手の合成樹脂製、ガラス繊維、セラミック等の補強板５を設け、指の力が該補強板５を介して指袋２の先端に伝達されるようにし、該指袋２にヘタリが生じても捕強操作を確実に行えるようにした。
【０００９】
該補強板５は親指の指袋に設けたことが知られておりクロスプレイ時の衝撃の緩和の為に該補強板５を指の先端側の先端補強板と指の根部側の根部補強板とに分離した構成とすることも知られているが、本発明のものでは該補強板５を隣接する２本の指袋例えば小指と薬指の指袋に夫々設け各指の補強板同士の挿通孔を互いに皮紐等の紐７によりフレキシブルに連結して指の力が各指袋の先端まで確実に伝達されるようにし、確実な捕球操作を行えるようにした。
【００１０】
図示の実施例では、小指の指袋２に設けられる補強板５を、先端補強板５ａと根部補強板５ｂとに分離して衝撃を緩和する構成とし、該先端補強板５ａおよび根部補強板５ｂの断面を図３に示すように多少湾曲させ、先端補強板５ａの一部を根部補強板５ｂと内皮２ａの間に進入させた状態で紐７により小指の指袋２に固定した。
また、薬指の補強板５を単板で構成し、これの側部と先端補強板５ａの側部とを紐６により連結することで小指と薬指の操作に伴い各指袋の先端部が連携して移動するようにした。１０は小指用のフックである。
【００１１】
中指と人差し指が挿入される各指袋にも上記同様に補強板５を夫々設け、中指と人差し指の指先への力の伝達を強めると共に中指と人差し指を連携させ確実な捕球を行えるようにすることもできる（図４）。更に図５に示すように親指以外の４本の指袋２の全てに挿入した補強板５同士を紐８で連結してもよくこの場合は４本の指が連携すると共に指先に強い力が伝達される。
図６は小指の補強板５を単板にて形成した例であり、この場合は部品点数も少なく、製作、縫製が容易になる。
【００１２】
該紐７は各補強板５の側部に形成した挿通孔６と外皮２ｂを介して挿通され指の動きは補強板５を伝って指袋２の先端へ伝達されると同時に、隣接する補強板５にも伝達されるから皮にヘタリを生じていても２本の指先が連携して動き、確実な捕球操作が行え、該補強板５の先端部には外皮２ｂとの一体性を向上させるために紐８を挿通させる挿通孔９を設けるようにした。
【００１３】
図１乃至図３に示した実施例において指を補強のために内方へ曲げると指の力は補強板５を介して指袋２の先端へと伝達されると同時に、紐８で連結された隣接する補強板５同士が連携して動くので指先が反り返りにくく且つ２本の指袋２が同時に動いて球と手の平を正対させた状態で捕球できる。
【００１４】
【発明の効果】
以上のように、本発明では、野球用グラブの隣接する指袋の指の背側の位置に長手の合成樹脂製等の補強板を夫々設け、該補強板同士を互いに連結したので、皮にヘタリが生じても指先に指の力を伝達でき、２本の指袋が連動するので指先から落球しにくくなり、軽量でしかも通常の捕球方法で捕球できるから操作性もよくなる等の効果があり、特に小指と薬指の指袋に適用すると顕著な効果が得られ、中指と人差指を挿入する各指袋に適用することも可能であり、小指に設けられる補強板を、指の先端側の先端補強板と指の根部側の根部補強板に分離した構成とし、該根部補強板を該小指の指袋に係着し、該先端補強板を該指袋の内皮と該根部補強板との間に介入させると指に加わる衝撃が緩和されて好ましく、野球用グラブの親指以外の４指に該補強板を設けて互いに紐で連携させるようにしても同様の効果が得られる。
【図面の簡単な説明】
【図１】本発明の実施の形態を示す野球用グラブ背面図
【図２】図１の２−２線部分の断面図
【図３】図２の３−３線部分の断面図
【図４】本発明の第２の実施の形態を示す背面図
【図５】本発明の第３の実施の形態を示す背面図
【図６】本発明の第４の実施の形態を示す背面図
【符号の説明】
１  野球用グラブ      ２  指袋      ２ａ 内皮      ２ｂ 外皮      ４  指      ５  補強板      ５ａ 先端補強板      ５ｂ  根部補強板      ７・８  紐      ６・９  挿通孔
【図１】
0003924442.tif 000002
【図２】
0003924442.tif 000003
【図３】
0003924442.tif 000004
【図４】
0003924442.tif 000005
【図５】
0003924442.tif 000006
【図６】
0003924442.tif 000007